(57)【特許請求の範囲】
【請求項１】
商用電源を昇圧整流平滑し、直流電源に変換して出力する第１の電源回路を有する電源信号ユニットと、この電源信号ユニットに電源中継線を介して接続される第２の電源回路を有するディスプレイユニットとを有し、前記第１の電源回路は、商用電源を昇圧整流平滑し、１つの直流電源に変換して出力するように構成し、かつ前記第２の電源回路は、前記第１の電源回路から電源中継線を介して供給される直流電源から前記ディスプレイユニットに必要なそれぞれの電圧に変換するように構成したことを特徴とするディスプレイ装置。
【発明の詳細な説明】
【０００１】
【発明の属する技術分野】
本発明はディスプレイ装置、特に二体型薄型ディスプレイ装置の電源伝送法に関するものである。
【０００２】
【従来の技術】
従来の２体型薄型ディスプレイの電源接続法について簡単に説明を行う。図５は、従来の２体型薄型ディスプレイの電源接続構成図を示す。
【０００３】
図５において、５１は電源信号ユニット、５２は電源信号ユニット５１の信号回路、５３は電源信号ユニット５１の電源回路、５４はディスプレイユニット、５５は電源中継線、５６は商用電源入力口で構成されている。
【０００４】
電源信号ユニット５１の電源回路５３によって、商用電源入力口５６より入力された商用電源を変換して、電源信号ユニット５１の信号回路５２に必要な電圧の電源とディスプレイユニット５４に必要な電圧の電源を作り、電源中継線５５で電源信号ユニット５１とディスプレイユニット５４を接続していた。
【０００５】
【発明が解決しようとする課題】
しかしながら、上記のような構成ではディスプレイユニットに必要な電源の種類や、電流容量が変更になれば、電源中継線を作りかえたりするしかなかった。また、ディスプレイユニットに必要な電源の種類が多ければ多いほど、電源中継線の中の線が増え、電流が多ければ多いほど一本の線が太くなってしまうので、電源中継線全体が太くなってしまう。
【０００６】
従って、ディスプレイユニットの電源スペックが決定されないと最適な電源中継線が作れないため、日程的な問題から、電流容量が多くなりそうな電線は、太くしておいたり、電源の種類が増えそうならば、その時点で使用しない電線を入れれば、電源中継線全体が太くなるなどの問題があった。
【０００７】
【課題を解決するための手段】
前記課題を解決するために、本発明のディスプレイ装置は、電源信号ユニット、ディスプレイユニットの両方に電源回路を設け、電源信号ユニットの電源回路では、商用電源を昇圧整流平滑し出力する。
【０００８】
また、ディスプレイユニットの電源では、電源信号ユニットの電源回路で、商用電源を昇圧整流平滑したものを入力し、ディスプレイユニットで必要な２次側の電圧に変換し、各々の電源回路を機体外配線である電源中継線により接続を行うようにしたものである。
【０００９】
本発明により、電源信号ユニットとディスプレイユニットとを接続する電源中継線をディスプレイユニットの負荷に無関係に作ることができ、電源中継線の中の電線の数も２〜４本にできるので電源中継線全体を細く作れるという作用効果を有する。
【００１０】
【発明の実施の形態】
本発明は、商用電源を昇圧整流平滑し、直流電源に変換して出力する第１の電源回路を有する電源信号ユニットと、この電源信号ユニットに電源中継線を介して接続される第２の電源回路を有するディスプレイユニットとを有し、前記第１の電源回路は、商用電源を昇圧整流平滑し、１つの直流電源に変換して出力するように構成し、かつ前記第２の電源回路は、前記第1の電源回路から電源中継線を介して供給される直流電源から前記ディスプレイユニットに必要なそれぞれの電圧に変換するように構成したものであり、電源信号ユニットとディスプレイユニットとを接続する電源中継線をディスプレイユニットの負荷に無関係に作ることができ、電源中継線の中の電線の数も２〜４本にできるので電源中継線を細く作れるという利点を得ることができるという作用を有する。
【００１１】
以下に、本発明の実施の形態について、図１〜図４を参照しながら説明する。
【００１２】
図１は、本発明の二体型薄型ディスプレイ装置のブロック構成図である。図１において、１１は電源信号ユニット、１２は信号回路、１３は第１の電源回路、１４はディスプレイユニット、１５は電源中継線、１６は第２の電源回路、１７は商用電源入力口である。
【００１３】
電源信号ユニット１１の商用電源入力口１７より商用電源を入力し、第1の電源回路１３により、昇圧整流平滑し、ＤＣ３８０Ｖの１つの直流電源に変換する。その出力を電源中継線１５を介して、ディスプレイユニット１４の第２の電源回路１６に供給し、第２の電源回路１６において、前記ディスプレイユニット１４に必要なそれぞれの電圧に変換する。
【００１４】
かかる構成によれば、前記電源中継線１５の内部の線は、ＤＣ３８０Ｖとそのリタ−ン（ＧＮＤ）の２本の線だけでよく、電流容量も１〜２Ａぐらいなので、細い線で、前記電源中継線１５が非常に細くでき、ディスプレイユニット１４に必要な電圧が開発途中で増加してもディスプレイユニット１４の前記第２の電源回路１６だけを変更すればよいので、前記電源中継線は変更しなくてもよいという利点を得ることができる。
【００１５】
図２は本発明の比較例における二体型薄型ディスプレイ装置のブロック構成図である。図２において、２１は電源信号ユニット、２２は信号回路、２３は第１の電源回路、２４はディスプレイユニット、２５は電源中継線、２６は第２の電源回路２７は、商用電源入力口、２８は第３の電源回路である。
【００１６】
電源信号ユニット２１の商用電源入力口２７より、商用電源を入力し、第１の電源回路、２３で昇圧整流平滑しＤＣ３８０Ｖにする。また、前記電源信号ユニット２１の第３の電源回路２８でディスプレイユニット２４に必要な商用電源と絶縁した電源の一つをつくる。
【００１７】
前記第１の電源回路２１、前記第３の電源回路２８の出力を電源中継線２５を介して、前記ディスプレイユニット２４の第２の電源回路２６に入力し、前記第２の電源回路２６により、ディスプレイユニット２４に必要なそれぞれの電圧に変換する。また、前記第３の電源回路２８の出力はそのまま前記ディスプレイユニット２４の負荷に出力する。
【００１８】
かかる構成によれば、前記電源中継線２５の内部の線は、ＤＣ３８０Ｖとそのリタ−ン（ＧＮＤ）及び、前記第３の電源回路２８の出力電圧とそのリタ−ン（ＧＮＤ）の４本の線となり、本発明の方が電源中継線２５の内部の線が減ることとなる。
【００１９】
図３は本発明の二体型薄型ディスプレイ装置の電源中継線の一例を示す内部構造図である。図３において、３１はコネクタピン受け、３２は金属のピン、３３は内部線、３４は外皮、３５は金属のコネクタ、３６は外皮シ−ルドである。電源中継線の外皮３４と内部線３３の間に編素線により外皮シ−ルド３６をはさみ込む。また前記編素線３６は金属で作られたコネクタ３５に面で接続される。また、前記コネクタ３５は、電源信号ユニットの外装とディスプレイユニットの外装に接続される。
【００２０】
かかる構成によれば、前記電源中継線を使用した薄型ディスプレイは、電源から輻射する電磁波を抑制することができるという利点を得ることができる。
【００２１】
図４は本発明の二体型薄型ディスプレイ装置の電源中継線のコネクタ部の一例を示す内部構造図である。図４において、４１は金属のコネクタ、４２はコネクタピン受け、４３は絶縁物、４４はピンである。
【００２２】
ピン４４に線が接続され、前記ピンに高圧（３８０Ｖ）が出力される。この場合、コネクタ４１は各外装に接続され、ＧＮＤレベルであるので、よってコネクタ４１とピン４４との絶縁距離ａは法規上５ｍｍが必要になるが、これを守るとコネクタ４１がかなり大きいものになってしまう。
【００２３】
しかし、ピン４４を絶縁物４３で覆うことにより絶縁距離ａを短くでき、コネクタ４１も小型化することができる。
【００２４】
かかる構成によれば、ピンを整形品で覆うことにより、電源中継線の先端のコネクタを小型化するという利点を得ることができる。
【００２５】
【発明の効果】
以上説明したように本発明によれば、２体型の薄型ディスプレイ装置において商用電源を昇圧整流平滑し、直流電源に変換して出力する第１の電源回路を有する電源信号ユニットと、この電源信号ユニットに電源中継線を介して接続される第２の電源回路を有するディスプレイユニットとを有し、前記第１の電源回路は、商用電源を昇圧整流平滑し、１つの直流電源に変換して出力するように構成し、かつ前記第２の電源回路は、前記第1の電源回路から電源中継線を介して供給される直流電源から前記ディスプレイユニットに必要なそれぞれの電圧に変換するように構成したものである。
【００２６】
本発明により、電源信号ユニットとディスプレイユニットとを接続する電源中継線をディスプレイユニットの負荷に無関係に作ることができ、ケ−ブルの中の電線の数も少なくできるので、ケ−ブルを細く作れるという利点を得ることができる。
【００２７】
また、電源中継線の外皮と内部線の間に編素線をはさみ込み、電源信号ユニットとディスプレイユニットの外装（ＧＮＤ）を接続することにより、電磁波を抑制することができ、電源中継線のコネクタの高圧がかかるピンを整形品で覆うことにより、電源中継線のコネクタ部を小型化することができる。
【図面の簡単な説明】
【図１】  本発明の実施の形態における２体型薄型ディスプレイ装置の電源接続構成図
【図２】  本発明の比較例における２体型薄型ディスプレイ装置の電源接続構成図
【図３】  本発明の実施の形態における二体型薄型ディスプレイ装置の電源中継線の内部構造図
【図４】  本発明の実施の形態における二体型薄型ディスプレイ装置の電源中継線のコネクタ部の内部構造図
【図５】  従来例の２体型薄型ディスプレイ装置の電源接続構成図
【符号の説明】
１１，２１  電源信号ユニット
１２，２２  信号回路
１３，２３  第１の電源回路
１４，２４  ディスプレイユニット
１５，２５  電源中継線
１６，２６  第２の電源回路
１７，２７  商用電源入力口
３１，４２  コネクタピン受け
３２，４４  ピン
３３  内部線
３４  外皮
３５，４１  コネクタ
３６  外皮シ−ルド
４３  絶縁物
５３  電源回路
【図１】
0004078693.tif 000002
【図２】
0004078693.tif 000003
【図３】
0004078693.tif 000004
【図４】
0004078693.tif 000005
【図５】
0004078693.tif 000006